【手続補正書】
【提出日】平成29年6月26日(2017.6.26)
【手続補正１】
【補正対象書類名】明細書
【補正対象項目名】００２１
【補正方法】変更
【補正の内容】
【００２１】
本発明の第２の態様は、取付孔を有する複数の被取付部材をブラインドリベットとナットにより締結した締結構造であって、
前記ブラインドリベットは、中空のスリーブと、前記スリーブの一端に形成されたフランジを有するリベット頭部と、スリーブ側端部からリベット頭部側端部まで貫通する貫通孔とを有するリベットボディと、
破断可能部で破断した軸部と、軸部の一端のマンドレル頭部とを有するマンドレルと、を含み、
前記ナットは、前記リベットボディの前記スリーブのスリーブ側端部と、前記マンドレル頭部との外周上に配置され、
前記リベットボディの前記フランジは、前記被取付部材の面に当接し、
前記ナットは、前記被取付部材の他の面に当接し、
前記マンドレル頭部は前記スリーブの端部の内側に引き込まれ、前記スリーブの端部は、前記マンドレル頭部により押されて拡径し、前記ナットの雌ねじに係合し、前記ナットと、前記フランジとの間に前記被取付部材が締結されていることを特徴とする締結構造である。
【手続補正２】
【補正対象書類名】明細書
【補正対象項目名】００２２
【補正方法】変更
【補正の内容】
【００２２】
本発明の第３の態様は、取付孔を有する複数の被取付部材をブラインドリベットとナットにより締結する方法であって、
中空のスリーブと、前記スリーブの一端に形成されたフランジを有するリベット頭部とを有し、貫通孔が形成されたリベットボディと、
前記スリーブの内径より小さい外径で前記スリーブより長い細長い軸部と、前記スリーブの内径より大きく前記スリーブの外径より小さい外径のマンドレル頭部とを有するマンドレルと、
前記リベットボディの前記スリーブの外径より大きい内径のナットとを用意し、
前記マンドレル頭部が、前記リベットボディの前記スリーブ側端部に隣接し、前記マンドレルの前記軸部が、前記リベットボディの前記貫通孔を通って前記リベット頭部側端部から延び出るように、前記リベットボディと前記マンドレルとを組み立てて、前記ブラインドリベットとし、
前記マンドレル頭部を先頭にして、前記ブラインドリベットを、前記被取付部材の前記取付孔に挿入し、前記リベットボディの前記フランジを前記被取付部材に当接させ、
前記ナットを、前記マンドレル頭部と、前記リベットボディの前記スリーブの端部との外周上で、前記ナットの面が前記被取付部材の前記取付孔の周りに当接するように配置し、
前記リベット頭部を支持して、前記リベット頭部の側から前記マンドレルの前記軸部を引き抜き、前記スリーブの端部が、前記マンドレル頭部により押されて拡径し、前記リベットの前記スリーブの端部の外周は前記ナットの雌ねじに係合し、前記スリーブの拡径した端部に係合した前記ナットと、前記フランジとの間に前記被取付部材が締結される、
段階を備えることを特徴とする方法である。
本発明の第２、第３の態様でも、ナットの代わりに、孔に周溝が形成されたナット状部材を使用することができる。
【手続補正３】
【補正対象書類名】明細書
【補正対象項目名】００３８
【補正方法】変更
【補正の内容】
【００３８】
被取付部材41の取付孔43と被取付部材42の取付孔44の位置があうように、被取付部材41と42を重ね合わせる。ナット30のねじ孔31が取付孔43,44と合うように、ナット30を被取付部材41上にセットする。ナット30は保持部材（図示せず）により保持される。
ナット30は保持部材により保持するのではなく、予め被取付部材41に接着等の方法により固定しておくこともできる。
【手続補正４】
【補正対象書類名】特許請求の範囲
【補正対象項目名】全文
【補正方法】変更
【補正の内容】
【特許請求の範囲】
【請求項１】
取付孔を有する複数の被取付部材を締結するためのブラインドリベットとナット状部材とを備える締結構造であって、
前記ブラインドリベットは、中空のスリーブと、前記スリーブの一端に形成されたリベット頭部とを有し、スリーブ側端部からリベット頭部側端部まで貫通する貫通孔が形成されたリベットボディと、
前記スリーブの内径より小さい外径で前記リベットボディより長い細長い軸部と、前記スリーブの内径より大きく前記スリーブの外径より小さい外径のマンドレル頭部とを有するマンドレルと、を含み、
前記マンドレル頭部が、前記リベットボディの前記スリーブ側端部に隣接して配置され、前記マンドレルの前記軸部は、前記リベットボディの前記貫通孔を通って前記リベット頭部側端部から延び出ており、
前記ナット状部材の孔の内径は、前記リベットボディの前記スリーブの外径より大きく、
前記ナット状部材は、前記リベットボディの前記スリーブのスリーブ側端部と、前記マンドレル頭部との外周上に配置されていることを特徴とする締結構造。
【請求項２】
請求項１に記載の締結構造であって、
前記ナット状部材の前記孔の内面に、雌ねじ又は周溝が形成されている締結構造。
【請求項３】
請求項１又は２に記載の締結構造であって、
前記リベット頭部は、前記スリーブに隣接し外径の大きいフランジと、前記フランジに隣接して、前記スリーブと反対側の端部に形成された角形部とを有する締結構造。
【請求項４】
請求項３に記載の締結構造であって、
前記リベットボディの前記フランジは、前記被取付部材の面に当接し、
前記ナット状部材は、前記被取付部材の他の面に当接して配置されている締結構造。
【請求項５】
請求項４に記載の締結構造であって、
前記スリーブの端部が、前記マンドレル頭部により押されて拡径し、前記スリーブの拡径した端部が前記ナット状部材の雌ねじ又は周溝に係合し、前記ナット状部材と、前記フランジとの間に前記被取付部材が締結されている締結構造。
【請求項６】
請求項５に記載の締結構造であって、
前記マンドレルは破断可能部で破断し、前記破断可能部から前記マンドレル頭部までの部分は、前記スリーブ内に残されている締結構造。
【請求項７】
請求項５又は６に記載の締結構造であって、
前記マンドレル頭部は、前記スリーブの端部の内側に引き込まれ、前記スリーブの前記端部が拡径されている締結構造。
【請求項８】
請求項７に記載の締結構造であって、
前記スリーブは前記ブラインドリベットの中心軸方向に圧縮されている締結構造。
【請求項９】
取付孔を有する複数の被取付部材をブラインドリベットとナットにより締結した締結構造であって、
前記ブラインドリベットは、中空のスリーブと、前記スリーブの一端に形成されたフランジを有するリベット頭部と、スリーブ側端部からリベット頭部側端部まで貫通する貫通孔とを有するリベットボディと、
破断可能部で破断した軸部と、軸部の一端のマンドレル頭部とを有するマンドレルと、を含み、
前記ナットは、前記リベットボディの前記スリーブのスリーブ側端部と、前記マンドレル頭部との外周上に配置され、
前記リベットボディの前記フランジは、前記被取付部材の面に当接し、
前記ナットは、前記被取付部材の他の面に当接し、
前記マンドレル頭部は前記スリーブの端部の内側に引き込まれ、前記スリーブの端部は、前記マンドレル頭部により押されて拡径し、前記ナットの雌ねじに係合し、前記ナットと、前記フランジとの間に前記被取付部材が締結されていることを特徴とする締結構造。
【請求項１０】
取付孔を有する複数の被取付部材をブラインドリベットとナットにより締結する方法であって、
中空のスリーブと、前記スリーブの一端に形成されたフランジを有するリベット頭部とを有し、貫通孔が形成されたリベットボディと、
前記スリーブの内径より小さい外径で前記スリーブより長い細長い軸部と、前記スリーブの内径より大きく前記スリーブの外径より小さい外径のマンドレル頭部とを有するマンドレルと、
前記リベットボディの前記スリーブの外径より大きい内径のナットとを用意し、
前記マンドレル頭部が、前記リベットボディの前記スリーブ側端部に隣接し、前記マンドレルの前記軸部が、前記リベットボディの前記貫通孔を通って前記リベット頭部側端部から延び出るように、前記リベットボディと前記マンドレルとを組み立てて、前記ブラインドリベットとし、
前記マンドレル頭部を先頭にして、前記ブラインドリベットを、前記被取付部材の前記取付孔に挿入し、前記リベットボディの前記フランジを前記被取付部材に当接させ、
前記ナットを、前記マンドレル頭部と、前記リベットボディの前記スリーブの端部との外周上で、前記ナットの面が前記被取付部材の前記取付孔の周りに当接するように配置し、
前記リベット頭部を支持して、前記リベット頭部の側から前記マンドレルの前記軸部を引き抜き、前記スリーブの端部が、前記マンドレル頭部により押されて拡径し、前記リベットの前記スリーブの端部の外周は前記ナットの雌ねじに係合し、前記スリーブの拡径した端部に係合した前記ナットと、前記フランジとの間に前記被取付部材が締結される、
段階を備えることを特徴とする方法。